(57)【要約】【課題】マンション等のドア改装における新設ドア枠を設置するための既設ドア枠の除去を短時間に簡易且つ確実になし得るようにして，ドア枠改装時間を短縮する。【解決手段】油圧によって作動する挟持装置１０と拡開装置２０とを用いて，上枠１及び左右側枠２を挟持装置１０の挟持爪１３によって一次的にコンクリート躯体Ａから部分的に浮上剥離し，また下枠３近傍のコンクリート躯体Ａを部分的に斫り，その後に拡開装置２０の拡開爪２２を浮上剥離した部分及び斫り部に挿入して強制的に拡開することによって，既設ドア枠Ｂをコンクリート躯体Ａから全体に亘って一気に浮上剥離するようにする。挟持装置１０と拡開装置２０の２段階浮上剥離を施すことによって直ちに既設ドア枠Ｂの引出撤去が可能となって，既設ドア枠Ｂの短時間の除去が可能となる。【選択図】　　　　図２
2004027673.tif 000002
【特許請求の範囲】
【請求項１】
挟持装置の一対の挟持爪によって鋼製の既設ドア枠の枠部を抱持状に挟持して該挟持爪を加圧駆動によって無段階閉鎖して該挟持位置でコンクリート躯体から枠部を長手方向部分的に浮上剥離する部分剥離工程と，拡開装置の一対の拡開爪を該既設ドア枠の枠部における浮上剥離部分に挿入して該拡開爪を加圧駆動によって無段階拡開して該既設ドア枠をコンクリート躯体から長手方向全体的に浮上剥離する全体剥離工程と，該浮上剥離して枠部が屈曲変形した既設ドア枠をコンクリート躯体から室外側に引出撤去する既設ドア枠撤去工程とを備えてなることを特徴とする２段階剥離の鋼製既設ドア枠除去方法。
【請求項２】
上記部分剥離工程によって長手方向部分的に浮上剥離する枠部を上記既設ドア枠における上枠及び側枠とする一方，既設ドア枠の下枠に対して該部分剥離工程に代えて，コンクリート躯体の床面に部分的に斫り部を形成する部分斫り工程を施し，該斫り部に上記拡開装置の一対の拡開爪を挿入して上記下枠に全体剥離工程を直接に施すことを特徴とする請求項１に記載の２段階剥離の既設ドア枠除去方法。
【請求項３】
上記部分剥離工程に先行してシート押え装置を用いて既設ドア枠の室内側に防塵シートを配置する防塵シート配置工程を追加的に備え，上記シート押え装置を高さ調整自在の中央ポールと該中央ポール上端の水平支持枠とを具備した正面Ｔ字状に構成し，該シート押え装置を用いた防塵シート配置工程を，上記水平支持枠に防塵シートを支持して該水平支持枠を天井に突き当てることによって該防塵シートを上記既設ドア枠設置開口の室内側に吊り配置することを特徴とする請求項１又は２に記載の２段階剥離の鋼製既設ドア枠除去方法。
【請求項４】
油圧アクチュエータを内蔵し又は油圧アクチュエータに接続可能の握りハンドルと，該握りハンドルの先端に回動自在に軸支固定し軸支側後方にその対向面を相互にＶ字状とするように同一角度に傾斜して摺動傾斜面を具備した一対の拡開爪と，上記摺動傾斜面の位置で該一対の拡開爪をその対向面側に向けて付勢する閉鎖用スプリングと，油圧アクチュエータの作動によって上記握りハンドルから進退自在のピストンと，該ピストンの先端に設置しその進行によって上記一対の拡開爪の摺動傾斜面間をその先端側に向けて進行する摺動傾斜面と同一角度に傾斜した左右対称の傾斜側面を具備した矢尻状の先端具とを備え，上記油圧アクチュエータの作動によって上記先端具を上記一対の拡開爪間に進行させ該一対の拡開爪を無段階拡開することによってコンクリート躯体から鋼製の既設ドア枠における枠部を長手方向全体的に浮上剥離自在としたことを特徴とする２段階剥離の鋼製既設ドア枠除去方法用の拡開装置。
【発明の詳細な説明】
【０００１】
【発明の属する技術分野】
本発明はドア枠を改装するに際して鋼製既設ドア枠を剥離除去するドア枠除去方法に関し，特に既設ドア枠に２段階剥離を行うことによってドア枠除去を効率化した２段階剥離の鋼製既設ドア枠除去方法及びこれに用いる拡開装置に関する。
【０００２】
【従来の技術】
この種既設ドア枠を剥離除去するドア枠除去方法として，例えば特公平５−５７３９６号が知られており，これによれば，挟持装置の一対の挟持爪によって鋼製の既設ドア枠の枠部を抱持状に挟持して該挟持爪を加圧駆動によって無段階閉鎖して該挟持位置でコンクリート躯体から枠部を長手方向に剥離する剥離工程と，剥離後に既設ドア枠をコンクリート躯体から室外側に引出撤去する既設ドア枠撤去工程による除去方法とされる。
【０００３】
【発明が解決しようとする課題】
この場合理論的には既設ドア枠をコンクリート躯体から除去することが可能となるが，これを実際に用いると，挟持装置の一対の挟持爪によって既設ドア枠の枠部を剥離することは容易ではなく，剥離のためには該枠部の挟持とその無段階閉鎖による剥離の作業を，既設ドア枠のアンカー溶接した溶接棒部分のみならず，これらの間を含めて小ピッチに繰返して行う必要があり，作業が煩雑となるとともに作業性が悪く，例えば居住状態のマンション等におけるドア枠改装と新設ドアの設置を，一日に１０軒程度というように同時に多数処理しようとすると，先行作業の既設ドア枠除去に大幅な時間が掛り，次工程の着手が遅れることによって工事時間が予定より数時間延び，工事が夜間にずれ込む等して，例えば居住者等の苦情要因となっている。
【０００４】
本発明はかかる事情に鑑みてなされたもので，その解決課題とするところは，第１に，居住状態のドア枠改装を可及的容易且つ短時間に効率良く行うとともに工事に対する居住者の苦情を解消し得るようにした２段階剥離の鋼製既設ドア枠除去方法を提供するにあり，第２に，該既設ドア枠の除去方法に好適に用い得て，簡易且つ確実に既設ドア枠を浮上分離可能とする拡開装置を提供するにある。
【０００５】
【課題を解決するための手段】
上記課題に添って検討したところ，上記従来の既設ドア枠に使用する挟持装置の一対の挟持爪は，対向方向に先細状に傾斜した楔状を呈するものとされ，既設ドア枠の枠部を前後から抱持状に挟持してコンクリート躯体と枠部間に食い込ませて，その食い込み傾斜によって枠部を強制的に浮上剥離するものとされ，挟持装置を手持ちして現場作業を行う軽量化，小型化の必要性から挟持爪の大きさには自ずと限界が生じ，ある程度の大きさのものとせざるを得ないことに上記作業の煩雑さと作業性の悪さの原因があるものと認められる。
【０００６】
上記浮上剥離の構造を維持しながら挟持装置の挟持爪を大きく設定することは困難であり，一方でこの挟持装置は上記理論的に優れたものと認められるから，本発明はこの挟持装置を使用して，一対の挟持爪で既設ドア枠の枠部を挟持し無段階閉鎖することによって該枠部を，例えばアンカー溶接部分等の単一乃至複数箇所で長手方向部分的に浮上剥離し，更に拡開装置を使用して，該拡開装置の拡開爪を上記浮上剥離した同一又はその近傍の部分に挿入して同じく単一乃至複数箇所で無段階拡開することによって該枠部を長手方向全体に浮上剥離することによって，挟持装置による一次的な部分浮上剥離の工程と拡開装置による二次的な全体浮上剥離の工程とを併用して既設ドア枠を可及的一気に屈曲変形して分離することによって，コンクリート躯体から既設ドア枠を短時間で簡易且つ確実に浮上剥離し，然る後に該既設ドア枠の引出撤去するようにしたものであって，即ち請求項１に記載の発明を，挟持装置の一対の挟持爪によって鋼製の既設ドア枠の枠部を抱持状に挟持して該挟持爪を加圧駆動によって無段階閉鎖して該挟持位置でコンクリート躯体から枠部を複数箇所で長手方向部分的に浮上剥離する部分剥離工程と，拡開装置の一対の拡開爪を該既設ドア枠の枠部における各浮上剥離部分に挿入して該拡開爪を加圧駆動によって複数箇所で無段階拡開して該既設ドア枠をコンクリート躯体から長手方向全体的に浮上剥離する全体剥離工程と，該浮上剥離して枠部が屈曲変形した既設ドア枠をコンクリート躯体から室外側に引出撤去する既設ドア枠撤去工程とを備えてなることを特徴とする２段階剥離の鋼製既設ドア枠除去方法としたものである。
【０００７】
請求項２に記載の発明は，上記に加えて，既設ドア枠の下枠はコンクリート躯体の床にその殆どを埋め込んで設置されていることが多く，この場合上記挟持装置を下枠に適用するのが煩雑な作業を必要とするために，上記２段階剥離を既設ドア枠の上枠と左右の縦枠の枠部とし，下枠の枠部については拡開装置の拡開爪を挿入可能な程度にコンクリート躯体の床面に部分的な斫りを施し，該斫り部分に拡開爪を挿入拡開することによって既設ドア枠の上記浮上剥離を行うようにして，下枠埋め込み設置のケースの既設ドア枠の除去を更に容易になし得るようにしたものであって，これを，上記部分剥離工程によって長手方向部分的に浮上剥離する枠部を上記既設ドア枠における上枠及び側枠とする一方，既設ドア枠の下枠に対して該部分剥離工程に代えて，コンクリート躯体の床面に部分的に斫り部を形成する部分斫り工程を施し，該斫り部に上記拡開装置の一対の拡開爪を挿入して上記下枠に全体剥離工程を直接に施すことを特徴とする請求項１に記載の２段階剥離の既設ドア枠除去方法としたものである。
【０００８】
請求項３に記載の発明は，上記挟持装置による部分的な浮上剥離及び／又は拡開装置による全体的な浮上剥離による既設ドア枠の変形分離に際して，コンクリート躯体の破損によって塵埃が発生飛散するため，上記既設ドア枠の除去を，居住者の居住状態で行うとその近傍に塵埃が飛散して室内の床，壁等を汚損する可能性があるところ，玄関スペースの一部，例えば土間部分を作業に使用するもその余の廊下等の室内部分に塵埃が及ぶのを遮断するように，上記部分剥離工程に先行して防塵シート配置工程を備えるとともに該防塵シート配置工程をシート押え装置を用いて可及的簡易且つ確実に室内部分を遮断して，該室内部分に塵埃が飛散するのを防止し得るようにしたものであって，これを，上記部分剥離工程に先行してシート押え装置を用いて既設ドア枠の室内側に防塵シートを配置する防塵シート配置工程を追加的に備え，上記シート押え装置を高さ調整自在の中央ポールと該中央ポール上端の水平支持枠とを具備した正面Ｔ字状に構成し，該シート押え装置を用いた防塵シート配置工程を，上記水平支持枠に防塵シートを支持して該水平支持枠を天井に突き当てることによって該防塵シートを上記既設ドア枠　設置開口の室内側に吊り配置することを特徴とする請求項１又は２に記載の２段階剥離の鋼製既設ドア枠除去方法としたものである。
【０００９】
請求項４に記載の発明は，上記挟持装置の部分的な浮上剥離後の上記可及的一気の全体的な浮上剥離を行うに適した拡開爪の無段階拡開を好適に行うとともに可及的コンパクトにして操作性のよい拡開装置を提供するように，これを，油圧アクチュエータを内蔵し又は油圧アクチュエータに接続可能の握りハンドルと，該握りハンドルの先端に回動自在に軸支固定し軸支側後方にその対向面を相互にＶ字状とするように同一角度に傾斜して摺動傾斜面を具備した一対の拡開爪と，上記摺動傾斜面の位置で該一対の拡開爪をその対向面側に向けて付勢する閉鎖用スプリングと，油圧アクチュエータの作動によって上記握りハンドルから進退自在のピストンと，該ピストンの先端に設置しその進行によって上記一対の拡開爪の摺動傾斜面間をその先端側に向けて進行する摺動傾斜面と同一角度に傾斜した左右対称の傾斜側面を具備した矢尻状の先端具とを備え，上記油圧アクチュエータの作動によって上記先端具を上記一対の拡開爪間に進行させ該一対の拡開爪を無段階拡開することによってコンクリート躯体から鋼製の既設ドア枠における枠部を長手方向全体的に浮上剥離自在としたことを特徴とする２段階剥離の鋼製既設ドア枠除去方法用の拡開装置としたものである。
【００１０】
本発明はこれらをそれぞれ発明の要旨として上記課題解決の手段としたものである。
【００１１】
【発明の実施の形態】
以下図面の例を参照しながら本発明を更に具体的に説明すれば，Ａはコンクリート躯体，Ｂは，該コンクリート躯体Ａに設置され，図示省略の新設ドア枠を設置するドア枠改装を行うために除去対象とした鋼製の既設ドア枠であり，既設ドア枠Ｂの除去は，挟持装置１０を使用して既設ドア枠Ｂの枠部１，２及び３を長手方向部分的に浮上剥離する一次的な部分剥離工程と，更に拡開装置２０を使用して該枠部１，２及び３を長手方向全体に浮上剥離する二次的な全体剥離工程と，然る後に該既設ドア枠Ｂを引出撤去する既設ドア枠撤去工程とを備えた２段階剥離の鋼製既設ドア枠除去方法によって行うようにしてある。
【００１２】
一次的な上記部分剥離工程は，挟持装置１０の一対の挟持爪１３によって鋼製の既設ドア枠Ｂの枠部１，２及び３を抱持状に挟持して該挟持爪１３を加圧駆動によって無段階閉鎖して該挟持位置でコンクリート躯体Ａから枠部１，２及び３を長手方向部分的に浮上剥離する工程とし，二次的な上記全体剥離工程は，拡開装置２０の一対の拡開爪２２を該既設ドア枠Ｂの枠部１，２及び３における浮上剥離部分に挿入して該拡開爪２２を加圧駆動によって無段階拡開して該既設ドア枠Ｂをコンクリート躯体Ｂから長手方向全体的に浮上剥離する工程とし，上記既設ドア枠撤去工程は，該浮上剥離して枠部１，２及び３が屈曲変形した既設ドア枠Ｂをコンクリート躯体Ａから室外側に引出撤去する工程としてあり，このとき本例の上記既設ドア枠除去方法は，上記部分剥離工程に先行してシート押え装置３１を用いて既設ドア枠Ｂの室内側に防塵シート３０を配置する防塵シート配置工程を備えたものとしてあり，また上記部分剥離工程によって長手方向部分的に浮上剥離する枠部１，２及び３を上記既設ドア枠Ｂにおける上枠１及び側枠２とする一方，既設ドア枠Ｂの下枠３に対して該部分剥離工程に代えて，コンクリート躯体Ｂの床面に部分的に斫り部４を形成する部分斫り工程を施し，該斫り部４に上記拡開装置２０の一対の拡開爪２２を挿入して上記下枠３に全体剥離工程を直接に施すことによってこれを行うものとしてある。
【００１３】
本例にあって既設ドア枠Ｂの２段階の浮上剥離，即ち屈曲変形による２段階の分離に用いる装置のうち，上記挟持装置１０は，図５に示すようにハンドル１１を上方に配置したガイドレール１２と，該ガイドレール１２の先端にその長手方向内側に向けて設置しガイドレール１２長手方向後方に向けて楔状をなす固定一方の挟持爪１３ａと，該ガイドレール１２にスライド自在にして該ガイドレール１２長手方向前方に向けて上記固定一方の挟持爪１３ａと先端を対接可能とした逆配置の同一形状とした可動他方の挟持爪１３ｂと，ガイドレール１２後端に設置したガイド脚部を貫通して上記可動他方の挟持爪１３ｂに固定したピストン１４と，該ピストン１４を進退する図示省略のアクチュエータとを備えたものとし，このとき本例のアクチュエータはその加圧力及び加圧速度を枠部の浮上剥離に適したものとし易い油圧のもの，特に現場の搬入操作に好適な油圧シリンダーを油圧ポンプの操作によって作動するものとしてあり，該油圧の加圧駆動によってピストン１４を進行させガイドレール１２の案内によりピストン１４先端の可動側の挟持爪１３ｂを固定側の挟持爪１３ａに向けて進行させ，該一対の挟持爪１３を無段階閉鎖することによって上記一次的な既設ドア枠Ｂ，本例にあっては上枠１及び左右側枠２の部分剥離を，例えば長手方向複数箇所で行うようにしてある。
【００１４】
即ち該挟持装置１０による部分剥離は，例えば上記固定一方の楔状挟持爪１３ａの先端を枠部１，２の室内側端部に引掛け状に係合し，可動他方の楔状挟持爪１３ｂの先端を該枠部１，２の室外側端部乃至これを埋め込んだコンクリート躯体Ａの壁に同様に引掛け状に係合して，該枠部１，２を抱持状に挟持しその係合挟持状態で加圧駆動，即ち油圧ポンプを駆動し，枠部１，２の室内外端部とその内側（正面から見ると枠部の背面）に位置して該枠部１，２の取付ベースをなすコンクリート躯体Ｂとの間に楔状挟持爪１３を食い込ませるように挟持することによって，コンクリートより弱い鋼製の既設ドア枠Ｂの枠部１，２を強制的に屈曲変形して該部分の浮上剥離を行うようにするものとしてある。
【００１５】
挟持装置１０による部分剥離は，本例において上枠１及び左右の側枠２の各長手方向単一又は複数箇所に行うものとし，該部分剥離位置は，好ましくはこれを該枠部１，２における上記コンクリート躯体Ａのアンカー溶接位置においてこれを行って，挟持爪１３の挟持によって上記枠部１，２の変形とともに該アンカー乃至これと枠部１，２を連結した溶接棒を強制破断することにより，アンカー溶接部分毎にその各部分的な浮上剥離を行うものとしてある。
【００１６】
このように挟持装置１０によって部分剥離した枠部１，２は，その長手方向の数箇所部分が変形し，コンクリート躯体Ｂから部分的に浮上剥離した状態に面内方向に隆起し，該部分には幾分かの空隙が生じるから，該空隙を利用して上記拡開装置２０による拡開爪２２の先端をこれに挿入し，次工程の上記二次的な全体剥離工程に以降すればよい。
【００１７】
上記２段階の分離に用いる装置のうち，上記拡開装置２０は，図６に示すように，油圧アクチュエータ，本例にあっては油圧シリンダーを内蔵し又はこれに接続可能の握りハンドル２１と，該握りハンドル２１の先端に回動自在に軸支固定し軸支側後方にその対向面を相互にＶ字状とするように同一角度に傾斜して摺動傾斜面２３を具備した一対の拡開爪２２と，上記摺動傾斜面２３の位置で該一対の拡開爪２２をその対向面側に向けて付勢する閉鎖用スプリング２４と，油圧アクチュエータ，即ち油圧シリンダーの作動によって上記握りハンドル２１から進退自在のピストン２５と，該ピストン２５の先端に設置しその進行によって上記一対の拡開爪２２の摺動傾斜面２３間をその先端側に向けて進行する摺動傾斜面２３と同一角度に傾斜した左右対称の傾斜側面を具備した矢尻状の先端具２６とを備え，上記油圧アクチュエータ，即ち油圧シリンダーの作動によって上記先端具２６を上記一対の拡開爪２２間に進行させ該一対の拡開爪２２を無段階拡開することによってコンクリート躯体Ａから鋼製の既設ドア枠Ｂにおける枠部１，２を長手方向全体的に浮上剥離自在としたものとしてある。
【００１８】
即ち拡開装置２０は，本例において一対の拡開爪２２の拡開を，上記挟持装置１０と同様にその加圧力及び加圧速度を，後述の下枠を含めた枠部１，２及び３の一気の大幅な浮上剥離に適したものとし易い油圧のもの，特に現場の搬入操作に好適な油圧シリンダーを油圧ポンプの操作によって作動するものとし，本例にあって該油圧シリンダーによる拡開爪２２の拡開力は，これを例えば数トン程度といった強力なものとして，既設ドア枠Ｂの枠部１，２及び３の上記浮上剥離を単一箇所の拡開又は複数箇所の拡開，好ましくは単一箇所の拡開によって，可及的容易且つ一気になし得るようにしてある。
【００１９】
一対の拡開爪２２は，本例にあって上記握りハンドル２１に突設した左右に一対にしてそれぞれ上下の突片間に端部を挿入軸支して回動自在の軸支固定を行ってあり，このとき拡開爪２２は，平面を平行四辺形乃至その類似形状とし，その鋭角側先端部の一方を軸支固定し，他方を上記部分的浮上剥離した枠部１，２及び３に対する鋭角の挿入部とすることによって，一対の拡開爪２２，特にその軸支側後方に拡開するようにその対向する側面を同一角度に傾斜して摺動傾斜面２３とし，該対向する摺動傾斜面２３によって一対の拡開爪２２の軸支側後方に平面Ｖ字状の空隙を形成する一方，上記矢尻状の先端具２６を該Ｖ字状の空隙と同一傾斜角度のＶ字側面を有する三角ブロックの矢尻状に形成することによって，上記空隙に該先端具２６を面接して嵌合し得るようにしてあり，一対の拡開爪２２の閉鎖状態で該先端具２６を該空隙に面接嵌合するようにピストン２５の先端に設置することによって，ピストン２５が進行して該先端具２６が先端側に繰出し進行するのに伴って，該先端具２６のブロック厚さに応じて左右後端頂点位置の垂直線部分が摺動押圧部として上記摺動傾斜面２３を摺動してこれを押圧し，該押圧によって一対の拡開爪２２をそれぞれ軸支部分を中心にして同時に強制回動してこれを強制的に拡開し，上記挟持装置１０によって部分的に浮上剥離した浮上剥離部分に挿入した鋭角の挿入部を拡開することによって該部分の浮上剥離を更に拡大し，枠部１，２及び３を大きく屈曲変形してその長手方向全体的な浮上剥離を自在としてある。このとき先端具２６の繰出し進行は，油圧アクチュエータの作動，本例にあっては油圧シリンダーの作動によるものとしたピストン２５の先端に設置した三角ブロック状としたことによって，鋭角の挿入部の拡開が無段階的になされ，枠部１，２及び３に対して拡開力がブロック厚さの面乃至線接触状態で均一に作用することにより該枠部１，２及び３が好ましい屈曲変形の浮上剥離を行うことができ，例えば枠部１，２及び３が拡開途中で破断し，既設ドア枠Ｂの除去が煩雑化するようなトラブルもない。
【００２０】
本例にあって一対の拡開爪２２（鋭角の挿入部）の最大拡開幅は，例えば１０ｃｍ程度とし，該一対の拡開爪２２の拡開によってコンクリート躯体Ｂから既設ドア枠Ｂを完全に浮上剥離するのに充分な幅を確保したものとしてあり，このように１０ｃｍ程度の拡開幅を備えた拡開装置２０を用いることによって枠部１，２及び３毎に１回の拡開作業，多くても２回程度の拡開作業によって上記完全な浮上剥離を行うことができるようにしてある。
【００２１】
拡開装置２０による無段階拡開は，上記挟持装置１０の部分剥離工程によって部分的に浮上剥離したと同一部分又はその近傍部分に一対の拡開爪２２を挿入してこれを行えばよく，複数箇所で無段階拡開を行うときは，２回目乃至それ以降の拡開は，アンカー溶接部分又はこれらの間等，部分的に浮上剥離した枠部１，２を効率よく全体的に浮上剥離するに適した箇所において行うようにすることもでき，部分剥離工程をアンカー溶接部分に施せば，該部分が既に破断していることも多いから，拡開装置２０による全体剥離工程は，挟持装置１０による部分的な浮上剥離部分と常に同一箇所とすべき必要はない。
【００２２】
本例にあって拡開装置２０の全体剥離工程に先立つ上記挟持装置１０による部分剥離工程は既設ドア枠Ｂの上枠１及び左右側枠２に対して行うものとし，下枠３については，上記のように該部分剥離工程に代えて，部分斫り工程を採用することによって，上記コンクリート躯体Ｂの床面に部分的な斫り部４を形成するものとし，該部分的な斫り部４に拡開装置２０の一対の拡開爪２２を挿入し，該斫り部４を上記浮上剥離部分に相当するものとして，該下枠３に全体剥離工程を直接に施すようにすればよく，このとき該部分斫り工程は，ドリル，ハンマー等のコンクリート躯体Ａを斫ることができる斫り工具を用いてコンクリート躯体Ａの床面に長手方向単一又は複数箇所の斫り部４を部分的に形成するものとしてあり，その余は挟持装置による部分剥離工程乃至その後の全体剥離工程と同様にすればよい。
【００２３】
既設ドア枠Ｂの除去は，このように挟持装置１０による上枠１及び左右側枠２の部分剥離工程，下枠３の部分斫り工程後に，拡開装置２０による全体剥離工程を施すようにすればよく，該全体剥離工程によって既設ドア枠Ｂは，アンカー溶接部分が破断するとともにコンクリート躯体Ａから大きく浮上剥離する結果，上下枠１，３及び左右側枠２がそれぞれその対向方向に屈曲変形して室外側に引出撤去可能となるから，既設ドア枠撤去工程として該変形屈曲した既設ドア枠Ｂをコンクリート躯体Ａ，即ち既設ドア枠Ｂの設置開口から室外側に引出撤去すればよく，これによって本例における既設ドア枠Ｂの除去を完了することができる。
【００２４】
このとき既設ドア枠Ｂの除去は，その各工程でコンクリート躯体Ａの破損が生じて，廊下等の室内部分に塵埃が発生飛散することによって室内を汚損する可能性があるので，本例にあっては季節ドア枠Ｂの上記工程，特に部分剥離工程に先行して，上記防塵シート３０によって塵埃による室内の汚損を防止する防塵シート配置工程を施すものとしてあり，従ってこのとき既設ドア枠Ｂの除去方法は，一般に防塵シート配置工程，部分剥離工程，部分斫り工程，全体剥離工程，既設ドア枠撤去工程を，これらの順に備える（部分剥離工程と部分斫り工程の順番は入替え可能である）ものとしてあり，防塵シート３０の除去は，例えば新設ドア枠の設置に使用することある溶接の火花の飛散を防止するように該新設ドア枠乃至新設ドアの設置後に防塵シート除去工程としてこれを行うものとしてある。
【００２５】
防塵シート配置工程は，シート押え装置３１を用いて防塵シート３０を配置するが，該シート押え装置３１は，これを高さ調整自在の中央ポール３２と該中央ポール３２上端の水平支持枠３６とを具備した正面Ｔ字状に構成したものとしてあり，該シート押え装置３１を用いた防塵シート配置工程は，これを，上記水平支持枠３６に防塵シート３０を支持して該水平支持枠３６を室内の天井に突き当てることによって該防塵シート３０を上記既設ドア枠Ｂ設置開口の室内側に吊り配置することによって行うものとしてあり，上記防塵シート除去工程は，逆に水平支持枠３６の天井突き当てを外し，防塵シート３０の吊り配置を外すように行うものとし，そのシート押え装置３１はこれを再利用するものとしてある。
【００２６】
本例のシート押え装置３１は，例えば木材を用いた中央ポール３２と水平支持枠３６とによって正面がＴ字状をなすように構成してあり，中央ポール３２は上下に複数区分，例えば２区分したポール材３３を高さ調整自在に連結して２〜３ｍ程度の高さとし得るようにすることによって天井高さに合せてこれに突き当て自在に構成し，水平支持枠３６は，例えば１〜１．５ｍ程度の長さに上位のポール材３３の先端にこれと直交するように着脱自在乃至回動自在に固定することによって設置したものとしてあり，このとき上記ポール材３３の高さ調整自在の連結は，ポール材３３の側面を部分的に重合するように重合対接し，天井高さに合せた後に，これらを固定するようにしてあり，本例にあって該固定は，重合対接したポール材３３を被嵌するように，例えば重合対接したポール材３３の合計幅より大きな厚肉矩形筒状をなすバンド３４と該バンド３４に設置したナットに螺装した，例えば蝶ネジによるボルト３５を回転することによってボルト３５先端がポール材３３を押圧して，バンド３４とポール材３３間の空隙を吸収することによって，バンド３４がポール材３３を抱持挟着してこれを行うものとしてあり，このとき該バンド３４の抱持挟着は，例えば安定したポール材３３の連結を可能とするように上下に複数箇所，例えば２箇所配置するものとしてある。
【００２７】
本例にあっては中央ポール３２を大方の見当を付けた長さとするようにボルト３５を仮締めしてポール材３３を仮止め状態とし，上端の水平支持枠３６に防塵シート，本例にあっては防炎加工を施した緻密メッシュ状織布による防塵シート３０を被せるように支持し，仮締めしたボルト３５を幾分緩めて中央ポール３２を延長するように高さ調整して水平支持枠３６を天井に突き当てるようにボルト３５を本締めし，該防塵シート３０を水平支持枠３６と天井との間に挟持するようにしてその吊り配置を行って，既設ドア枠Ｂの除去に伴うその室内側の防塵を行うものとしてある。
【００２８】
このとき防塵シート３０は，その面積を既設ドア枠Ｂの設置開口の面積より上下左右を拡大した該開口より大きなものとして吊り配置の状態で該開口室内側の周縁（天井，壁面と床の周縁。但し一般に壁面の片側には玄関サイドボードが置かれているから，該サイドボード等が周縁をなすこともある）に端部を対接したときに折返しが生じるように余裕を持ったものとしてあり，また本例にあって上記シート押え装置３１が，その中央ポール３２と交差するようにこれと一体又は別体にして壁面間の幅より長い支持棒３７を備え，該支持棒３７を上記吊り配置した防塵シート３０の側面，即ち壁面側に形成した折返し間に回動係止するように架設し，上記水平支持枠３６近傍の上方位置において防塵シート３０の吊り配置を補助し，その吊り配置を既設ドア枠Ｂの設置開口室内側を可及的に蜜に封止してその防塵を可及的充分になし得るようにしてある。
【００２９】
図中２７は拡開装置２０の拡開爪２２を軸支した軸，２８はスプリング２４によって閉鎖して作業者の手を挟む危険を解消するように一方の拡開爪２２に軸支して他方の拡開爪２２との間に間隔を形成する一方，作業終了後には拡開爪２２の閉鎖を妨げないように収容可能に設置した回動プレートである。
【００３０】
図示した例は以上のとおりとしたが，既設ドア枠，その枠部，挟持装置，その一対の挟持爪，拡開装置，その一対の拡開爪，部分剥離工程，全体剥離工程，既設ドア枠撤去工程，必要に応じて用いる部分斫り工程，防塵シート配置工程，シート押え装置，防塵シート，油圧アクチュエータ等の各具体的形状，構造，材質，方法，手順，これらの関係，これらに対する付加等は上記発明の要旨に反しない限り様々な形態とすることができる。
【００３１】
【発明の効果】
本発明は以上のとおりに構成したから，請求項１に記載の発明は，挟持装置を使用して，一対の挟持爪で既設ドア枠の枠部を挟持し無段階閉鎖することによって該枠部を，例えばアンカー溶接部分等の単一乃至複数箇所で長手方向部分的に浮上剥離し，更に拡開装置を使用して，該拡開装置の拡開爪を上記浮上剥離した同一又はその近傍の部分に挿入して同じく単一乃至複数箇所で無段階拡開することによって該枠部を長手方向全体に浮上剥離することによって，挟持装置による一次的な部分浮上剥離の工程と拡開装置による二次的な全体浮上剥離の工程とを併用して既設ドア枠を可及的一気に屈曲変形して分離することによって，コンクリート躯体から既設ドア枠を短時間で簡易且つ確実に浮上剥離し，然る後に該既設ドア枠の引出撤去することによって，居住状態のドア枠改装を可及的容易且つ短時間に効率良く行うとともに工事に対する居住者の苦情を解消し得るようにした２段階剥離の鋼製既設ドア枠除去方法を提供することができる。
【００３２】
請求項２に記載の発明は，上記に加えて，上記２段階剥離を既設ドア枠の上枠と左右の縦枠の枠部とし，下枠の枠部については拡開装置の拡開爪を挿入可能な程度にコンクリート躯体の床面に部分的な斫りを施し，該斫り部分に拡開爪を挿入拡開することによって既設ドア枠の上記浮上剥離を行うようにして，下枠埋め込み設置のケースの既設ドア枠の除去を更に容易になし得るようにすることができる。
【００３３】
請求項３に記載の発明は，玄関スペースの一部，例えば土間部分を作業に使用するもその余の廊下等の室内部分に塵埃が及ぶのを遮断するように，上記部分剥離工程に先行して防塵シート配置工程を備えるとともに該防塵シート配置工程をシート押え装置を用いて可及的簡易且つ確実に室内部分を遮断し得るようにして，上記挟持装置による部分的な浮上剥離及び／又は拡開装置による全体的な浮上剥離に伴う塵埃の飛散を防止し，室内の床，壁等を汚損する可能性を解消するとともに居住者の居住状態での既設ドア枠の除去を可能とすることができる。
【００３４】
請求項４に記載の発明は，上記挟持装置の部分的な浮上剥離後の上記可及的一気の全体的な浮上剥離を行うに適した拡開爪の無段階拡開を好適に行うとともに可及的コンパクトにして操作性のよい拡開装置とすることによって，既設ドア枠の除去方法に好適に用い得て，簡易且つ確実に既設ドア枠を浮上分離可能とする拡開装置を提供することができる。
【図面の簡単な説明】
【図１】挟持装置による枠部浮上剥離の方法を示す断面図である。
【図２】拡開装置による枠部浮上剥離の方法を示す断面図である。
【図３】拡開装置による下枠浮上剥離の方法を示す断面図である。
【図４】浮上剥離した既設ドア枠の正面図である。
【図５】挟持装置の正面図である。
【図６】拡開装置の正面図である。
【図７】防塵シートの吊り支持状態を示す正面図である。
【符号の説明】
Ａ　コンクリート躯体
Ｂ　既設ドア枠
１　上枠
２　側枠
３　下枠
４　斫り部
１０　挟持装置
１３　挟持爪
２０　拡開装置
２２　拡開爪
３０　防塵シート
３１　シート押え装置
【図１】
2004027673.tif 000003
【図２】
2004027673.tif 000004
【図３】
2004027673.tif 000005
【図４】
2004027673.tif 000006
【図５】
2004027673.tif 000007
【図６】
2004027673.tif 000008
【図７】
2004027673.tif 000009